(57)【要約】    【課題】  装置に依存して投写画像の色調にばらつきが発生するのを抑制することのできるプロジェクタを提供する。    【解決手段】  照明装置１００と、第１のダイクロイックミラー２１０及び第２のダイクロイックミラー２２０を有する色分離光学系２００と、３つの液晶装置４００Ｒ，４００Ｇ，４００Ｂと、クロスダイクロイックプリズム５００と、投写光学系６００と、赤色透過ダイクロイックフィルタ７１０Ｒ、緑色透過ダイクロイックフィルタ７１０Ｇ及び青色透過ダイクロイックフィルタ７１０Ｂとを備えたプロジェクタにおいて、  第１のダイクロイックミラー２１０及び第２のダイクロイックミラー２２０並びに赤色透過ダイクロイックフィルタ７１０Ｒ、緑色透過ダイクロイックフィルタ７１０Ｇ及び青色透過ダイクロイックフィルタ７１０Ｂは、照明光軸１００ａｘに対してなす角度を調整可能に構成されていることを特徴とするプロジェクタ。【選択図】  図１
2005300900.tif 000002
【特許請求の範囲】
【請求項１】
照明装置と、
この照明装置からの光のうち青色光又は赤色光を反射して緑色光及び赤色光又は青色光を透過する第１のダイクロイックミラー及びこの第１のダイクロイックミラーを透過した光のうち緑色光を反射して赤色光又は青色光を透過する第２のダイクロイックミラーを有し、前記照明装置からの光を赤、緑及び青の３つの色光に分離する色分離光学系と、
この色分離光学系からの３つの色光のそれぞれを、画像情報に応じて変調する３つの電気光学変調装置と、
前記３つの電気光学変調装置により変調された光を投写する投写光学系と、
前記色分離光学系と前記３つの電気光学変調装置のそれぞれとの間の光路のうち、赤色光路中に配置された赤色透過ダイクロイックフィルタ、緑色光路中に配置された緑色透過ダイクロイックフィルタ及び青色光路中に配置された青色透過ダイクロイックフィルタとを備えたプロジェクタにおいて、
前記第１のダイクロイックミラー及び前記第２のダイクロイックミラー並びに前記赤色透過ダイクロイックフィルタ、前記緑色透過ダイクロイックフィルタ及び前記青色透過ダイクロイックフィルタは、照明光軸に対してなす角度を調整可能に構成されていることを特徴とするプロジェクタ。
【請求項２】
請求項１に記載のプロジェクタにおいて、
プロジェクタを映画観賞モードで用いるときに光学系に挿入するためのシネマフィルタをさらに備え、
前記シネマフィルタは、照明光軸に対してなす角度を調整可能に構成されていることを特徴とするプロジェクタ。
【請求項３】
請求項２に記載のプロジェクタにおいて、
プロジェクタを映画観賞等に用いるためのモード及びプロジェクタを映画観賞等以外の用途に用いるためのモードの複数のモード間で、前記第１のダイクロイックミラー、前記第２のダイクロイックミラー、前記青色透過ダイクロイックフィルタ、前記緑色透過ダイクロイックフィルタ及び前記赤色透過ダイクロイックフィルタのうち所定の光学要素についての、照明光軸に対してなす角度を一括して変更するための角度変更装置をさらに備えたことを特徴とするプロジェクタ。
【請求項４】
照明装置と、
この照明装置からの光のうち青色光又は赤色光を反射して緑色光及び赤色光又は青色光を透過する第１のダイクロイックミラー及びこの第１のダイクロイックミラーを透過した光のうち緑色光を反射して赤色光又は青色光を透過する第２のダイクロイックミラーを有し、前記照明装置からの光を赤、緑及び青の３つの色光に分離する色分離光学系と、
この色分離光学系からの３つの色光のそれぞれを、画像情報に応じて変調する３つの電気光学変調装置と、
前記３つの電気光学変調装置により変調された光を投写する投写光学系と、
前記色分離光学系と前記３つの電気光学変調装置のそれぞれとの間の光路のうち、赤色光路中に配置された赤色透過ダイクロイックフィルタ、緑色光路中に配置された緑色透過ダイクロイックフィルタ及び青色光路中に配置された青色透過ダイクロイックフィルタとを備えたプロジェクタにおける色調整方法であって、
前記第１のダイクロイックミラー及び第２のダイクロイックミラーについて照明光軸に対してなす角度を調整し、その後、前記赤色透過ダイクロイックフィルタ、前記緑色透過ダイクロイックフィルタ及び前記青色透過ダイクロイックフィルタについて照明光軸に対してなす角度を調整することにより色調整を行うことを特徴とするプロジェクタにおける色調整方法。
【請求項５】
請求項４に記載のプロジェクタにおける色調整方法において、
前記第１のダイクロイックミラーが前記照明装置からの光のうち青色光を反射して緑色光及び赤色光を透過するものであり、前記第２のダイクロイックミラーが前記第１のダイクロイックミラーを透過した光のうち緑色光を反射して赤色光を透過するものである場合には、
前記第２のダイクロイックミラーの照明光軸に対してなす角度を調整し、その後、前記第１のダイクロイックミラーの照明光軸に対してなす角度を調整することにより色調整を行うことを特徴とするプロジェクタにおける色調整方法。
【請求項６】
請求項４に記載のプロジェクタにおける色調整方法において、
前記第１のダイクロイックミラーの照明光軸に対してなす角度を調整し、その後、前記第２のダイクロイックミラーの照明光軸に対してなす角度を調整することにより色調整を行うことを特徴とするプロジェクタにおける色調整方法。
【請求項７】
請求項４〜６のいずれかに記載のプロジェクタにおける色調整方法において、
前記第２のダイクロイックミラーの照明光軸に対してなす角度を調整し、その後、前記第２のダイクロイックミラーを透過する色光に係るダイクロイックフィルタ及び前記第２のダイクロイックミラーで反射される色光に係るダイクロイックフィルタについて、照明光軸に対してなす角度を調整することにより色調整を行うことを特徴とするプロジェクタにおける色調整方法。
【請求項８】
請求項４〜６のいずれかに記載のプロジェクタにおける色調整方法において、
前記第１のダイクロイックミラーの照明光軸に対してなす角度を調整し、その後、前記第１のダイクロイックミラーで反射される色光に係るダイクロイックフィルタの照明光軸に対してなす角度を調整することにより色調整を行うことを特徴とするプロジェクタにおける色調整方法。
【請求項９】
照明装置と、
この照明装置からの光のうち青色光又は赤色光を反射して緑色光及び赤色光又は青色光を透過する第１のダイクロイックミラー及びこの第１のダイクロイックミラーを透過した光のうち緑色光を反射して赤色光又は青色光を透過する第２のダイクロイックミラーを有し、前記照明装置からの光を赤、緑及び青の３つの色光に分離する色分離光学系と、
この色分離光学系からの３つの色光のそれぞれを、画像情報に応じて変調する３つの電気光学変調装置と、
前記３つの電気光学変調装置により変調された光を投写する投写光学系と、
前記色分離光学系と前記３つの電気光学変調装置のそれぞれとの間の光路のうち、赤色光路中に配置された赤色透過ダイクロイックフィルタ、緑色光路中に配置された緑色透過ダイクロイックフィルタ及び青色光路中に配置された青色透過ダイクロイックフィルタと、
プロジェクタを映画観賞モードで用いるときに光学系に挿入するためのシネマフィルタとを備えたプロジェクタにおける色調整方法であって、
前記シネマフィルタを光学系から離脱させた状態で、前記第１のダイクロイックミラー及び前記第２のダイクロイックミラー並びに前記青色透過ダイクロイックフィルタ、前記緑色透過ダイクロイックフィルタ及び前記赤色透過ダイクロイックフィルタについて、照明光軸に対してなす角度の調整を行い、その後、前記シネマフィルタを光学系に挿入した状態で、前記シネマフィルタの照明光軸に対してなす角度を調整することにより色調整を行うことを特徴とするプロジェクタにおける色調整方法。
【発明の詳細な説明】
【技術分野】
【０００１】
本発明はプロジェクタ及びプロジェクタにおける色調整方法に関する。 
【背景技術】
【０００２】
図８は、従来のプロジェクタを説明するために示す図である。図８（ａ）は光学系を示す図であり、図８（ｂ）はその要部を示す図である。
このプロジェクタ９００は、図８（ａ）及び図８（ｂ）に示すように、照明装置１００と、照明装置１００から射出された光を３つの色光（赤色光、緑色光及び青色光）に分離する色分離光学系２００と、分離された３つの色光をそれぞれ変調する３つの液晶装置４００Ｒ，４００Ｇ，４００Ｂと、各液晶装置４００Ｒ，４００Ｇ，４００Ｂによって変調された色光を合成するクロスダイクロイックプリズム５００と、このクロスダイクロイックプリズム５００によって合成された光を投写する投写光学系６００とを備えている。
【０００３】
そして、このプロジェクタ９００においては、各液晶装置４００Ｒ，４００Ｇ，４００Ｂに照射される色光の色純度を高めてプロジェクタの色再現性を向上させるために、色分離光学系２００と各液晶装置４００Ｒ，４００Ｇ，４００Ｂとの間の３つの光路に、狭帯域の３枚のカラーフィルタ（赤色透過カラーフィルタ７１０Ｒ、緑色透過カラーフィルタ７１０Ｇ及び青色透過カラーフィルタ７１０Ｂ）が設けられている（例えば、特許文献１参照。）。
【０００４】
【特許文献１】特開昭６４−３２２８９号公報
【発明の開示】
【発明が解決しようとする課題】
【０００５】
しかしながら、照明装置に含まれる発光管の発光特性や各種光学要素の光学特性、色分離光学系に用いる各ダイクロイックミラーの波長選択特性、各カラーフィルタの透過特性などにはばらつきがあるために、各液晶装置に照射される色光のスペクトルにばらつきが発生し、これにより装置に依存して投写画像の色調にばらつきが発生するいう問題がある。このような装置に依存して投写画像の色調にばらつきが発生するのを抑制する簡単な方法としては、照明装置に含まれる発光管や各種光学要素、色分離光学系に含まれる各ダイクロイックミラー、各カラーフィルタなどの特性を高い精度で均一化する方法が考えられるが、光学部品の高額化を招き好ましくない。
【０００６】
そこで、本発明は、上記のような問題を解決するためになされたものであり、装置に依存して投写画像の色調にばらつきが発生するのを抑制することのできるプロジェクタ及びプロジェクタにおける色調整方法を提供することを目的とする。
【課題を解決するための手段】
【０００７】
本発明のプロジェクタは、照明装置と、この照明装置からの光のうち「青色光又は赤色光」を反射して「緑色光」及び「赤色光又は青色光」を透過する第１のダイクロイックミラー及びこの第１のダイクロイックミラーを透過した光のうち緑色光を反射して赤色光又は青色光を透過する第２のダイクロイックミラーを有し、前記照明装置からの光を赤、緑及び青の３つの色光に分離する色分離光学系と、この色分離光学系からの３つの色光のそれぞれを、画像情報に応じて変調する３つの電気光学変調装置と、前記３つの電気光学変調装置により変調された光を投写する投写光学系と、前記色分離光学系と前記３つの電気光学変調装置のそれぞれとの間の光路のうち、赤色光路中に配置された赤色透過ダイクロイックフィルタ、緑色光路中に配置された緑色透過ダイクロイックフィルタ及び青色光路中に配置された青色透過ダイクロイックフィルタとを備えたプロジェクタにおいて、前記第１のダイクロイックミラー及び前記第２のダイクロイックミラー並びに前記赤色透過ダイクロイックフィルタ、前記緑色透過ダイクロイックフィルタ及び前記青色透過ダイクロイックフィルタは、照明光軸に対してなす角度を調整可能に構成されていることを特徴とする。
【０００８】
このため、本発明のプロジェクタによれば、照明装置に含まれる発光管の発光特性や各種光学要素の光学特性、色分離光学系に用いる各ダイクロイックミラーの波長選択特性、カラーフィルタとしての各ダイクロイックフィルタの透過特性などにばらつきがあったとしても、第１のダイクロイックミラー及び第２のダイクロイックミラー並びに赤色透過ダイクロイックフィルタ、緑色透過ダイクロイックフィルタ及び青色透過ダイクロイックフィルタにおける、照明光軸に対してなす角度を調整することにより、このばらつきを吸収して各液晶装置に照射される色光のスペクトルを均一化することができるようになる。このため、装置に依存して投写画像の色調にばらつきが発生するのを抑制することができるようになる。
【０００９】
また、本発明のプロジェクタにおいては、プロジェクタを映画観賞モードで用いるときに光学系に挿入するためのシネマフィルタをさらに備え、前記シネマフィルタは、照明光軸に対してなす角度を調整可能に構成されていることが好ましい。
【００１０】
近年、家庭での映画観賞等を目的としたプロジェクタが普及し始めている。このようなプロジェクタにおいては、通常、プロジェクタを映画観賞等に用いるときのモード（映画観賞モード）と映画観賞等以外の用途に用いるときのモード（例えば、テレビ観賞モード、ＰＣのプレゼンテーションモード、ゲームモード）とが準備されている。この場合、プロジェクタを映画観賞モードで使用するときには、映画観賞に適した色調の画面が表示されるように、シネマフィルタ（色域を広げるとともに黒浮きレベルを低減するためのフィルタ）を光学系に挿入することがある。
このような場合に、シネマフィルタの光学特性にばらつきがあったとしても、本発明のプロジェクタによれば、シネマフィルタにおける照明光軸に対してなす角度を調整することにより、このばらつきを吸収してシネマフィルタを透過する光のスペクトルを均一化することができるようになる。このため、シネマフィルタを挿入した際に、装置に依存して投写画像の色調にばらつきが発生するのを抑制することができるようになる。
【００１１】
また、本発明のプロジェクタにおいては、プロジェクタを映画観賞等に用いるためのモード及びプロジェクタを映画観賞等以外の用途に用いるためのモードの複数のモード間で、前記第１のダイクロイックミラー、前記第２のダイクロイックミラー、前記青色透過ダイクロイックフィルタ、前記緑色透過ダイクロイックフィルタ及び前記赤色透過ダイクロイックフィルタのうち所定の光学要素についての、照明光軸に対してなす角度を一括して変更するための角度変更装置をさらに備えることが好ましい。
【００１２】
本発明のプロジェクタは、装置に依存して投写画像の色調にばらつきが発生するのを抑制することができる優れたプロジェクタであるが、実際に投写画像の色調を調整するためには、各ダイクロイックミラー及び各ダイクロイックフィルタについて照明光軸に対してなす角度を調整する作業が必要であり、実際上煩雑である。
一方、映画観賞モードやそれ以外のモードが準備されたプロジェクタにおいては、これらのモード間で求められる色調が異なり、これらの各モード毎に、各ダイクロイックミラー及び各ダイクロイックフィルタについての照明光軸に対してなす角度を調整することが必要となる。しかしながら、上記したようにこの作業は煩雑であり、モード変更を行うたびに、これらの調整を行うのは実際上容易ではない。
【００１３】
これに対して、本発明のプロジェクタによれば、各モード間で、各ダイクロイックミラー及び各ダイクロイックフィルタについての、照明光軸に対してなす角度を一括して変更するための角度変更装置を備えているため、各モード毎に、予め各ダイクロイックミラー及び各ダイクロイックフィルタについて、照明光軸に対してなす角度をどのくらいにしたらよいかの調整データを取得しておけば、その後、モードを変更するときには、その調整データに基づいて各ダイクロイックミラー及び各ダイクロイックフィルタのうち必要な光学要素について、照明光軸に対してなす角度を一括して変更することができるようになる。このため、モードを切り換える際の作業を極めて簡素化することができる。
【００１４】
本発明のプロジェクタにおける色調整方法は、この照明装置からの光のうち青色光又は赤色光を反射して緑色光及び赤色光又は青色光を透過する第１のダイクロイックミラー及びこの第１のダイクロイックミラーを透過した光のうち緑色光を反射して赤色光又は青色光を透過する第２のダイクロイックミラーを有し、前記照明装置からの光を赤、緑及び青の３つの色光に分離する色分離光学系と、この色分離光学系からの３つの色光のそれぞれを、画像情報に応じて変調する３つの電気光学変調装置と、前記３つの電気光学変調装置により変調された光を投写する投写光学系と、前記色分離光学系と前記３つの電気光学変調装置のそれぞれとの間の光路のうち、赤色光路中に配置された赤色透過ダイクロイックフィルタ、緑色光路中に配置された緑色透過ダイクロイックフィルタ及び青色光路中に配置された青色透過ダイクロイックフィルタとを備えたプロジェクタにおける色調整方法であって、前記第１のダイクロイックミラー及び第２のダイクロイックミラーについて照明光軸に対してなす角度を調整し、その後、前記赤色透過ダイクロイックフィルタ、前記緑色透過ダイクロイックフィルタ及び前記青色透過ダイクロイックフィルタについて照明光軸に対してなす角度を調整することにより色調整を行うことを特徴とする。
【００１５】
このため、本発明のプロジェクタにおける色調整方法によれば、照明装置に含まれる発光管の発光特性や各種光学要素の光学特性、色分離光学系に用いる各ダイクロイックミラーの波長選択特性、カラーフィルタとしての各ダイクロイックフィルタの透過特性などにばらつきがあったとしても、第１のダイクロイックミラー及び第２のダイクロイックミラーについて照明光軸に対してなす角度を調整し、その後、赤色透過ダイクロイックフィルタ、緑色透過ダイクロイックフィルタ及び青色透過ダイクロイックフィルタについて照明光軸に対してなす角度を調整することにより色調整を行うため、このばらつきを吸収して各液晶装置に照射される色光のスペクトルを均一化することができるようになる。このため、装置に依存して投写画像の色調にばらつきが発生するのを抑制することができるようになる。
【００１６】
ダイクロイックミラー及びダイクロイックフィルタはともに、入射した光のうちの一部を透過させて一部を反射する波長選択機能を有するため、これらのダイクロイックミラー又はダイクロイックフィルタにおけるダイクロイック面の照明光軸に対してなす角度を変化させると、透過スペクトル及び反射のスペクトルの両方が変化する。
ところで、上記のようなプロジェクタにおいては、ダイクロイックフィルタは色分離光学系と電気光学変調装置との間に配置されているため、仮にダイクロイックフィルタについて照明光軸に対してなす角度を調整することによって投写画像の色調を調整したとすれば、その後、ダイクロイックミラーについて照明光軸に対してなす角度を調整した場合にはダイクロイックミラーにおける透過光と反射光とのバランス、ひいては各色光間のバランスが変化して投写画像の色調が変化するため、結果として投写画像の色調を調整するのは実際上容易ではない。
【００１７】
これに対して、本発明のプロジェクタにおける色調整方法によれば、まず各ダイクロイックミラーについて照明光軸に対してなす角度を調整し、その後、各ダイクロイックフィルタについて照明光軸に対してなす角度を調整することとしているため、まずダイクロイックミラーについて照明光軸に対してなす角度を調整することによって投写画像の色調を調整し、それでは足りない場合に、その後、各色光毎にダイクロイックフィルタについて照明光軸に対してなす角度を調整（微調整）することができるので、結果として投写画像の色調を調整する作業を極めて容易にすることができる。
【００１８】
また、本発明のプロジェクタにおける色調整方法において、前記第１のダイクロイックミラーが前記照明装置からの光のうち青色光を反射して緑色光及び赤色光を透過するものであり、前記第２のダイクロイックミラーが前記第１のダイクロイックミラーを透過した光のうち緑色光を反射して赤色光を透過するものである場合には、前記第２のダイクロイックミラーの照明光軸に対してなす角度を調整し、その後、前記第１のダイクロイックミラーの照明光軸に対してなす角度を調整することにより色調整を行うことが好ましい。
【００１９】
プロジェクタの発光管として用いられている高圧水銀ランプは、５７７ｎｍの波長域に大きな発光帯を有している。この波長は、緑色光と赤色光との中間の波長にあたるため、第２のダイクロイックミラーの波長選択特性が少し変化しても緑色光及び赤色光のバランスが大きく崩れて投写画像の色調が大きく変化することになる。
このため、本発明のプロジェクタにおける色調整方法のように、まずこの第２のダイクロイックミラーについての照明光軸に対する角度を調整することとすれば、緑色光及び赤色光のバランスを正確に取ることができるようになるため、プロジェクタにおける投写画像の色調にばらつきが発生するのを効果的に抑制することができるようになる。
【００２０】
また、本発明のプロジェクタにおける色調整方法においては、前記第１のダイクロイックミラーの照明光軸に対してなす角度を調整し、その後、前記第２のダイクロイックミラーの照明光軸に対してなす角度を調整することにより色調整を行うことが好ましい。
【００２１】
第１のダイクロイックミラーは第２のダイクロイックミラーよりも上流側（この明細書中では照明装置側）に配置されている。このため、本発明のプロジェクタにおける色調整方法のように、まず第１のダイクロイックミラーについての照明光軸に対する角度を調整し、その後、下流側（この明細書中では投写光学系側）に配置された第２のダイクロイックミラーについての照明光軸に対する角度を調整することとすれば、プロジェクタにおける投写画像の色調にばらつきが発生するのを抑制するための作業が効率化される。
【００２２】
また、本発明のプロジェクタにおける色調整方法においては、前記第２のダイクロイックミラーの照明光軸に対してなす角度を調整し、その後、前記第２のダイクロイックミラーを透過する色光に係るダイクロイックフィルタ及び前記第２のダイクロイックミラーで反射される色光に係るダイクロイックフィルタについて、照明光軸に対してなす角度を調整することにより色調整を行うことが好ましい。
【００２３】
第２のダイクロイックミラーは上記した各ダイクロイックフィルタよりも上流側に配置されている。このため、本発明のプロジェクタにおける色調整方法のように、まず第２のダイクロイックミラーについての照明光軸に対する角度を調整し、その後、下流側に配置された上記した各ダイクロイックフィルタについての照明光軸に対する角度を調整することとすれば、プロジェクタにおける投写画像の色調にばらつきが発生するのを抑制するための作業が効率化される。
【００２４】
また、本発明のプロジェクタにおける色調整方法においては、前記第１のダイクロイックミラーの照明光軸に対してなす角度を調整し、その後、前記第１のダイクロイックミラーで反射される色光に係るダイクロイックフィルタの照明光軸に対してなす角度を調整することにより色調整を行うことが好ましい。
【００２５】
第１のダイクロイックミラーは上記したダイクロイックフィルタよりも上流側に配置されている。このため、本発明のプロジェクタにおける色調整方法のように、まず第１のダイクロイックミラーについての照明光軸に対する角度を調整し、その後、下流側に配置された上記したダイクロイックフィルタについての照明光軸に対する角度を調整することとすれば、プロジェクタにおける投写画像の色調にばらつきが発生するのを抑制するための作業が効率化される。
【００２６】
本発明のプロジェクタにおける色調整方法は、照明装置と、この照明装置からの光のうち青色光又は赤色光を反射して緑色光及び赤色光又は青色光を透過する第１のダイクロイックミラー及びこの第１のダイクロイックミラーを透過した光のうち緑色光を反射して赤色光又は青色光を透過する第２のダイクロイックミラーを有し、前記照明装置からの光を赤、緑及び青の３つの色光に分離する色分離光学系と、この色分離光学系からの３つの色光のそれぞれを、画像情報に応じて変調する３つの電気光学変調装置と、前記３つの電気光学変調装置により変調された光を投写する投写光学系と、前記色分離光学系と前記３つの電気光学変調装置のそれぞれとの間の光路のうち、赤色光路中に配置された赤色透過ダイクロイックフィルタ、緑色光路中に配置された緑色透過ダイクロイックフィルタ及び青色光路中に配置された青色透過ダイクロイックフィルタと、プロジェクタを映画観賞モードで用いるときに光学系に挿入するためのシネマフィルタとを備えたプロジェクタにおける色調整方法であって、前記第１のダイクロイックミラー及び前記第２のダイクロイックミラー並びに前記青色透過ダイクロイックフィルタ、前記緑色透過ダイクロイックフィルタ及び前記赤色透過ダイクロイックフィルタについて、照明光軸に対してなす角度の調整を行った後、前記シネマフィルタの照明光軸に対してなす角度を調整することにより色調整を行うことを特徴とする。
【００２７】
このため、本発明のプロジェクタにおける色調整方法によれば、照明装置に含まれる発光管の発光特性や各種光学要素の光学特性、色分離光学系に用いる各ダイクロイックミラーの波長選択特性、カラーフィルタとしての各ダイクロイックフィルタの透過特性などにばらつきがあったとしても、シネマフィルタを光学系から離脱させた状態で、第１のダイクロイックミラー及び第２のダイクロイックミラー並びに青色透過ダイクロイックフィルタ、緑色透過ダイクロイックフィルタ及び赤色透過ダイクロイックフィルタについて、照明光軸に対してなす角度の調整を行うため、このばらつきを吸収して各液晶装置に照射される色光のスペクトルを均一化することができるようになる。このため、装置に依存して投写画像の色調にばらつきが発生するのを抑制することができるようになる。
【００２８】
上記したように、家庭での映画観賞等を目的としたプロジェクタを映画観賞モードで使用するときにはシネマフィルタを光学系に挿入するが、プロジェクタを映画鑑賞モード以外のモードで使用するときにはシネマフィルタを光学系から離脱させる必要がある。
このため、本発明のプロジェクタにおける色調整方法のように、まずシネマフィルタを光学系から離脱させた状態で、第１のダイクロイックミラー及び第２のダイクロイックミラー並びに青色透過ダイクロイックフィルタ、緑色透過ダイクロイックフィルタ及び赤色透過ダイクロイックフィルタについて、照明光軸に対してなす角度の調整を行い、その後、シネマフィルタを光学系に挿入した状態で、シネマフィルタの照明光軸に対してなす角度を調整することにより色調整を行うことにより、プロジェクタを使用するときのモード状態によらず、装置に依存して投写画像の色調にばらつきが発生するのを効果的に抑制することができるようになる。
【発明を実施するための最良の形態】
【００２９】
以下、本発明のプロジェクタについて、図に示す実施の形態に基づいて説明する。
【００３０】
〔実施形態１〕
図１は、本発明の実施形態１に係るプロジェクタを説明するために示す図である。図１（ａ）は光学系を示す上面図であり、図１（ｂ）はその要部を示す図である。
図２は、実施形態１に係るプロジェクタにおける各ダイクロイックミラー及び各ダイクロイックフィルタの透過率特性を示す図である。
なお、以下の説明においては、互いに直交する３つの方向をそれぞれｚ方向（図１（ａ）における照明光軸方向）、ｘ方向（図１（ａ）における紙面に平行かつｚ軸に直交する方向）及びｙ方向（図１（ａ）における紙面に垂直かつｚ軸に直交する方向）とする。
【００３１】
実施形態１に係るプロジェクタ１０００は、図１（ａ）及び図１（ｂ）に示すように、照明装置１００と、第１のダイクロイックミラー２１０及び第２のダイクロイックミラー２２０を含んで構成され照明装置１００からの光を３つの色光（赤色光、緑色光及び青色光）に分離する色分離光学系２００と、色分離光学系２００で分離された３つの色光をそれぞれ画像情報に応じて変調する３つの液晶装置４００Ｒ，４００Ｇ，４００Ｂと、各液晶装置４００Ｒ，４００Ｇ，４００Ｂによって変調された色光を合成するクロスダイクロイックプリズム５００と、このクロスダイクロイックプリズム５００によって合成された光を投写する投写光学系６００とを備えている。
【００３２】
そして、このプロジェクタ１０００においては、各液晶装置４００Ｒ，４００Ｇ，４００Ｂに照射される色光の色純度を高めてプロジェクタの色再現性を向上させるために、色分離光学系２００と各液晶装置４００Ｒ，４００Ｇ，４００Ｂとの間の３つの光路に、狭帯域の３枚のカラーフィルタとしての赤色透過ダイクロイックフィルタ７１０Ｒ、緑色透過ダイクロイックフィルタ７１０Ｇ及び青色透過ダイクロイックフィルタ７１０Ｂが設けられている。
なお、各ダイクロイックミラー２１０，２２０及び各ダイクロイックフィルタ７１０Ｒ，７１０Ｇ，７１０Ｂの透過率特性は、図２に示すようになっている。
【００３３】
照明装置１００は、光源装置１１０、光源装置１１０からの照明光束を複数の部分光束に分割するための第１レンズアレイ１２０、第１レンズアレイ１２０からの各部分光束を被照明領域で重畳させるための第２レンズアレイ１３０及び重畳レンズ１５０、並びに照明光束を偏光光束に変換するための偏光変換素子１４０を有している。
【００３４】
光源装置１１０は、楕円面リフレクタ１１４と、楕円面リフレクタ１１４の第１焦点近傍に発光中心を有する発光管１１２と、楕円面リフレクタ１１４からの集束光を略平行な光に変換する平行化レンズ１１８とを有している。発光管１１２には、発光管１１２から被照明領域側に射出される光を楕円面リフレクタ１１４に向けて反射する反射手段としての補助ミラー１１６が設けられている。
【００３５】
実施形態１に係るプロジェクタ１０００においては、第１のダイクロイックミラー２１０及び第２のダイクロイックミラー２２０並びに赤色透過ダイクロイックフィルタ７１０Ｒ、緑色透過ダイクロイックフィルタ７１０Ｇ及び青色透過ダイクロイックフィルタ７１０Ｂは、照明光軸１００ａｘに対してなす角度を調整可能に構成されている。
【００３６】
このため、実施形態１に係るプロジェクタ１０００によれば、照明装置１００に含まれる発光管１１２の発光特性や各種光学要素（楕円面リフレクタ１１４、補助ミラー１１６、平行化レンズ１１８、第１レンズアレイ１２０、第２レンズアレイ１３０、偏光変換素子１４０、重畳レンズ１５０）の光学特性、色分離光学系２００に含まれる各ダイクロイックミラー２１０，２２０の波長選択特性、カラーフィルタとしての各ダイクロイックフィルタ７１０Ｒ，７１０Ｇ，７１０Ｂの透過特性などにばらつきがあったとしても、第１のダイクロイックミラー２１０及び第２のダイクロイックミラー２２０並びに赤色透過ダイクロイックフィルタ７１０Ｒ、緑色透過ダイクロイックフィルタ７１０Ｇ及び青色透過ダイクロイックフィルタ７１０Ｂにおける、照明光軸１００ａｘに対してなす角度を調整することにより、このばらつきを吸収して各液晶装置４００Ｒ，４００Ｇ，４００Ｂに照射される色光のスペクトルを均一化することができるようになる。このため、装置に依存して投写画像の色調にばらつきが発生するのを抑制することができるようになる。
【００３７】
実施形態１に係るプロジェクタにおける色調整は以下のようにして行う。
すなわち、まず第１のダイクロイックミラー２１０及び第２のダイクロイックミラー２２０について照明光軸１００ａｘに対してなす角度を調整する。その後、赤色透過ダイクロイックフィルタ７１０Ｒ、緑色透過ダイクロイックフィルタ７１０Ｇ及び青色透過ダイクロイックフィルタ７１０Ｂについて照明光軸１００ａｘに対してなす角度を調整する。
【００３８】
このため、照明装置１００に含まれる発光管１１２の発光特性や各種光学要素の光学特性、色分離光学系２００に用いる各ダイクロイックミラー２１０，２２０の波長選択特性、カラーフィルタとしての各ダイクロイックフィルタ７１０Ｒ，７１０Ｇ，７１０Ｂの透過特性などにばらつきがあったとしても、第１のダイクロイックミラー２１０及び第２のダイクロイックミラー２２０について照明光軸１００ａｘに対してなす角度を調整し、その後、赤色透過ダイクロイックフィルタ７１０Ｒ、緑色透過ダイクロイックフィルタ７１０Ｇ及び青色透過ダイクロイックフィルタ７１０Ｂについて照明光軸１００ａｘに対してなす角度を調整することにより色調整を行うため、このばらつきを吸収して各液晶装置４００Ｒ，４００Ｇ，４００Ｂに照射される色光のスペクトルを均一化することができるようになる。このため、装置に依存して投写画像の色調にばらつきが発生するのを抑制することができるようになる。
【００３９】
また、この場合、まず各ダイクロイックミラー２１０，２２０について照明光軸１００ａｘに対してなす角度を調整することによって投写画像の色調を調整し、それでは足りない場合に、その後、各色光毎に各ダイクロイックフィルタ７１０Ｒ，７１０Ｇ，７１０Ｂについて照明光軸１００ａｘに対してなす角度を調整（微調整）することができるので、結果として投写画像の色調を調整する作業を極めて容易にすることができる。
【００４０】
また、色調整は、第２のダイクロイックミラー２２０の照明光軸１００ａｘに対してなす角度を調整し、その後、第１のダイクロイックミラー２１０の照明光軸１００ａｘに対してなす角度を調整することにより行う。
第２のダイクロイックミラー２２０の波長選択特性が少し変化しても緑色光及び赤色光のバランスが大きく崩れて投写画像の色調が大きく変化するが、上記のように色調整を行うことにより、緑色光及び赤色光のバランスを正確に取ることができるようになるため、プロジェクタにおける投写画像の色調にばらつきが発生するのを効果的に抑制することができるようになる。
【００４１】
また、色調整は、第１のダイクロイックミラー２１０の照明光軸１００ａｘに対してなす角度を調整し、その後、第２のダイクロイックミラー２２０の照明光軸１００ａｘに対してなす角度を調整するすることにより行ってもよい。
この場合、第１のダイクロイックミラー２１０は第２のダイクロイックミラー２２０よりも上流側に配置されているため、まず第１のダイクロイックミラー２１０についての照明光軸に対する角度を調整し、その後、下流側に配置された第２のダイクロイックミラー２２０についての照明光軸１００ａｘに対する角度を調整することとすれば、プロジェクタにおける投写画像の色調にばらつきが発生するのを抑制するための作業が効率化される。
【００４２】
また、色調整は、第２のダイクロイックミラー２２０の照明光軸１００ａｘに対してなす角度を調整し、その後、緑色透過ダイクロイックフィルタ７１０Ｇ及び赤色透過ダイクロイックフィルタ７１０Ｒについて、照明光軸１００ａｘに対してなす角度を調整することにより行う。
【００４３】
第２のダイクロイックミラー２２０は緑色透過ダイクロイックフィルタ７１０Ｇ及び赤色透過ダイクロイックフィルタ７１０Ｒよりも上流側に配置されている。このため、まず第２のダイクロイックミラー２２０についての照明光軸１００ａｘに対する角度を調整し、その後、下流側に配置された上記した緑色透過ダイクロイックフィルタ７１０Ｇ及び赤色透過ダイクロイックフィルタ７１０Ｒについての照明光軸１００ａｘに対する角度を調整することとすれば、プロジェクタにおける投写画像の色調にばらつきが発生するのを抑制するための作業が効率化される。
【００４４】
また、色調整は、第１のダイクロイックミラー２１０の照明光軸１００ａｘに対してなす角度を調整し、その後、青色透過ダイクロイックフィルタの照明光軸１００ａｘに対してなす角度を調整することにより行う。
【００４５】
第１のダイクロイックミラー２１０は青色透過ダイクロイックフィルタ７１０Ｂよりも上流側に配置されている。このため、まず第１のダイクロイックミラー２１０についての照明光軸１００ａｘに対する角度を調整し、その後、下流側に配置された青色透過ダイクロイックフィルタ７１０Ｂについての照明光軸１００ａｘに対する角度を調整することとすれば、プロジェクタにおける投写画像の色調にばらつきが発生するのを抑制するための作業が効率化される。
【００４６】
〔実施形態２〕
図３は、本発明の実施形態２に係るプロジェクタを説明するために示す図である。図３（ａ）は光学系を示す上面図であり、図３（ｂ）はその要部を示す図である。
実施形態２に係るプロジェクタ１００２は、色分離光学系の構成が実施形態１に係るプロジェクタ１０００と異なっている。すなわち、実施形態２に係るプロジェクタ１００２においては、図３（ｂ）に示すように、第１のダイクロイックミラー２１２が照明装置１００からの光のうち赤色光を反射して緑色光及び青色光を透過するものであり、第２のダイクロイックミラー２２２が第１のダイクロイックミラー２１２を透過した光のうち緑色光を反射して青色光を透過するものである。
【００４７】
図４及び図５は、実施形態２に係るプロジェクタにおける各ダイクロイックミラー及び各ダイクロイックフィルタの透過率特性を示す図である。図４（ａ）は第１のダイクロイックミラーにおける、照明光軸に対する傾き角度を変化させたときの透過率特性を示す図であり、図４（ｂ）は第２のダイクロイックミラーにおける、照明光軸に対する傾き角度を変化させたときの透過率特性を示す図である。また、図５（ａ）は赤色透過ダイクロイックフィルタにおける、照明光軸に対する傾き角度を変化させたときの透過率特性を示す図であり、図５（ｂ）は緑色透過ダイクロイックフィルタにおける、照明光軸に対する傾き角度を変化させたときの透過率特性を示す図であり、図５（ｃ）は青色透過ダイクロイックフィルタにおける、照明光軸に対する傾き角度を変化させたときの透過率特性を示す図である。
【００４８】
第１のダイクロイックミラー２１２は、通常は、照明光軸１００ａｘに対して４５°傾いて配置され、５９７ｎｍの遷移波長を有するのであるが、図４（ａ）に示すように、照明光軸１００ａｘに対して４０°〜５０°傾いて配置させることによって、その遷移波長を５８５ｎｍ〜６０９ｎｍの範囲に変化させることができる。
【００４９】
また、第２のダイクロイックミラー２２２は、通常は、照明光軸１００ａｘに対して４５°傾いて配置され、４９２ｎｍの遷移波長を有するのであるが、図４（ｂ）に示すように、照明光軸１００ａｘに対して４０°〜５０°傾いて配置させることによって、その遷移波長を４８２ｎｍ〜５０１ｎｍの範囲に変化させることができる。
【００５０】
また、赤色透過ダイクロイックフィルタ７１０Ｒは、通常は、照明光軸１００ａｘに対して垂直に配置され、５９４ｎｍの遷移波長を有するのであるが、図５（ａ）に示すように、照明光軸１００ａｘに対して０°〜１５°傾いて配置させることによって、その遷移波長を５９４ｎｍ〜５８８ｎｍの範囲に変化させることができる。
【００５１】
また、緑色透過ダイクロイックフィルタ７１０Ｇは、通常は、照明光軸１００ａｘに対して垂直に配置され、５８８ｎｍの遷移波長を有するのであるが、図５（ｂ）に示すように、照明光軸１００ａｘに対して０°〜１５°傾いて配置させることによって、その遷移波長を５８８ｎｍ〜５８０ｎｍの範囲に変化させることができる。
【００５２】
また、青色透過ダイクロイックフィルタ７１０Ｂは、通常は、照明光軸１００ａｘに対して垂直に配置され、４３６ｎｍの遷移波長を有するのであるが、図５（ｃ）に示すように、照明光軸１００ａｘに対して０°〜１５°傾いて配置させることによって、その遷移波長を４３６ｎｍ〜４３４ｎｍの範囲に変化させることができる。
【００５３】
このように、第１のダイクロイックミラー２１２及び第２のダイクロイックミラー２２２並びに赤色透過ダイクロイックフィルタ７１０Ｒ、緑色透過ダイクロイックフィルタ７１０Ｇ及び青色透過ダイクロイックフィル７１０Ｂは、いずれも照明光軸１００ａｘに対する角度を調整することによって、その遷移波長を適宜調整することができ、その結果、各液晶装置４００Ｒ，４００Ｇ，４００Ｂを照射する色光のスペクトルを適宜調整することができる。このため、装置に依存して投写画像の色調にばらつきが発生するのを効果的に抑制することができる。
【００５４】
〔実施形態３〕
図６は、本発明の実施形態３に係るプロジェクタを説明するために示す図である。図６（ａ）は光学系を示す上面図であり、図６（ｂ）はその要部を示す図である。
図７は、実施形態３に係るプロジェクタにおける各ダイクロイックミラー、各ダイクロイックフィルタ及びシネマフィルタの透過率特性を示す図である。図７（ａ）は各ダイクロイックミラー、各ダイクロイックフィルタ及びシネマフィルタの透過率特性を示す図であり、図７（ｂ）はシネマフィルタにおける、照明光軸に対する傾き角度を変化させたときの透過率特性を示す図である。
【００５５】
実施形態３に係るプロジェクタ１００４は、実施形態１に係るプロジェクタ１０００の構成に加えて、プロジェクタを映画観賞モードで用いるときに光学系に挿入するためのシネマフィルタ７２０をさらに備えた点を特徴としている、そして、このシネマフィルタ７２０は、照明光軸１００ａｘに対してなす角度を調整可能に構成されている。
なお、各ダイクロイックミラー２１０，２２０、各ダイクロイックフィルタ７１０Ｒ，７１０Ｇ，７１０Ｂ及びシネマフィルタ７２０の透過率特性は、図７（ａ）に示すようになっている。また、照明光軸１００ａｘに対する傾き角度を変化させたときのシネマフィルタ７２０透過率特性は、図７（ｂ）にを示すようになっている。
【００５６】
このため、シネマフィルタの光学特性にばらつきがあったとしても、実施形態３に係るプロジェクタ１００４によれば、シネマフィルタ７２０における照明光軸１００ａｘに対してなす角度を調整することにより、このばらつきを吸収してシネマフィルタ７２０を透過する光のスペクトルを均一化することができるようになる。このため、シネマフィルタ７２０を挿入した際に、装置に依存して投写画像の色調にばらつきが発生するのを抑制することができるようになる。
【００５７】
実施形態３に係るプロジェクタ１００４においては、映画観賞モード及び映画鑑賞モード以外のモードにおけるモード間で、第１のダイクロイックミラー２１０及び第２のダイクロイックミラー２２０並びに赤色透過ダイクロイックフィルタ７１０Ｒ、緑色透過ダイクロイックフィルタ７１０Ｇ及び青色透過ダイクロイックフィルタ７１０Ｂのうち所定の光学要素についての、照明光軸１００ａｘに対してなす角度を一括して変更するための角度変更装置（図示せず。）をさらに備えている。
【００５８】
本発明のプロジェクタは、装置に依存して投写画像の色調にばらつきが発生するのを抑制することができる優れたプロジェクタであるが、実際に投写画像の色調を調整するためには、各ダイクロイックミラー及び各ダイクロイックフィルタについて照明光軸に対してなす角度を調整する作業が必要であり、実際上煩雑である。
一方、映画観賞モード及び映画鑑賞モード以外のモードが準備されたプロジェクタにおいては、これらのモード間で求められる色調が異なり、これらの各モード毎に、各ダイクロイックミラー及び各ダイクロイックフィルタについての照明光軸に対してなす角度を調整することが必要となる。しかしながら、上記したようにこの作業は煩雑であり、モード変更を行うたびに、これらの調整を行うのは実際上容易ではない。
【００５９】
これに対して、実施形態３に係るプロジェクタ１００４によれば、各モード間で、各ダイクロイックミラー２１０，２２０及び各ダイクロイックフィルタ７１０Ｒ，７１０Ｇ，７１０Ｂについての、照明光軸１００ａｘに対してなす角度を一括して変更するための角度変更装置を備えているため、各モード毎に、予め各ダイクロイックミラー２１０，２２０及び各ダイクロイックフィルタ７１０Ｒ，７１０Ｇ，７１０Ｂについて、照明光軸１００ａｘに対してなす角度をどのくらいにしたらよいかの調整データを取得しておけば、その後、モードを変更するときには、その調整データに基づいて各ダイクロイックミラー２１０，２２０及び各ダイクロイックフィルタ７１０Ｒ，７１０Ｇ，７１０Ｂのうち必要な光学要素について、照明光軸１００ａｘに対してなす角度を一括して変更することができるようになる。このため、モードを切り換える際の作業を極めて簡素化することができる。
【００６０】
実施形態３に係るプロジェクタ１００４における色調整は次のような方法で行う。
すなわち、まず第１のダイクロイックミラー２１０及び第２のダイクロイックミラー２２０並びに赤色透過ダイクロイックフィルタ７１０Ｒ、緑色透過ダイクロイックフィルタ７１０Ｇ及び青色透過ダイクロイックフィルタ７１０Ｂについて、照明光軸１００ａｘに対してなす角度の調整を行う。その後、シネマフィルタ７２０の照明光軸１００ａｘに対してなす角度を調整することにより行う。
【００６１】
このため、照明装置１００に含まれる発光管１１２の発光特性や各種光学要素（楕円面リフレクタ１１４、補助ミラー１１６、平行化レンズ１１８、第１レンズアレイ１２０、第２レンズアレイ１３０、偏光変換素子１４０、重畳レンズ１５０）の光学特性、色分離光学系２００に用いる各ダイクロイックミラー２１０，２２０の波長選択特性、各ダイクロイックフィルタ７１０Ｒ，７１０Ｇ，７１０Ｂの透過特性などにばらつきがあったとしても、シネマフィルタ７２０を光学系から離脱させた状態で、第１のダイクロイックミラー２１０及び第２のダイクロイックミラー２２０並びに赤色透過ダイクロイックフィルタ７１０Ｒ、緑色透過ダイクロイックフィルタ７１０Ｇ及び青色透過ダイクロイックフィルタ７１０Ｂについて、照明光軸１００ａｘに対してなす角度の調整を行うため、このばらつきを吸収して各液晶装置４００Ｒ，４００Ｇ，４００Ｂに照射される色光のスペクトルを均一化することができるようになる。このため、装置に依存して投写画像の色調にばらつきが発生するのを抑制することができるようになる。
【００６２】
また、まずシネマフィルタ７２０を光学系から離脱させた状態で、第１のダイクロイックミラー２１０及び第２のダイクロイックミラー２２０並びに赤色透過ダイクロイックフィルタ７１０Ｒ、緑色透過ダイクロイックフィルタ７１０Ｇ及び青色透過ダイクロイックフィルタ７１０Ｂについて、照明光軸１００ａｘに対してなす角度の調整を行い、その後、シネマフィルタ７２０を光学系に挿入した状態で、シネマフィルタ７２０の照明光軸１００ａｘに対してなす角度を調整することにより色調整を行うことにより、プロジェクタを使用するときのモード状態によらず、装置に依存して投写画像の色調にばらつきが発生するのを効果的に抑制することができるようになる。
【００６３】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【００６４】
（１）上記各実施形態のプロジェクタ１０００〜１００４は透過型のプロジェクタであるが、本発明は反射型のプロジェクタにも適用することが可能である。ここで、「透過型」とは、透過型の液晶装置等のように光変調手段としての電気光学変調装置が光を透過するタイプであることを意味しており、「反射型」とは、反射型液晶装置のように光変調手段としての電気光学変調装置が光を反射するタイプであることを意味している。反射型のプロジェクタにこの発明を適用した場合にも、透過型のプロジェクタと同様の効果を得ることができる。 
【００６５】
（２）上記各実施形態のプロジェクタ１０００〜１００４は、電気光学変調装置として液晶装置を用いているが、本発明はこれに限られない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【００６６】
（３）上記各実施形態のプロジェクタ１０００〜１００４は、光源装置１１０として、楕円面リフレクタ１１４と、楕円面リフレクタ１１４の第１焦点近傍に発光中心を有する発光管１１２と、平行化レンズ１１８とを有する光源装置を用いたが、本発明はこれに限られず、放物面リフレクタと、放物面リフレクタの焦点近傍に発光中心を有する発光管とを有する光源装置をも好ましく用いることができる。
【００６７】
（４）本発明は、投写画像を観察する側から投写するフロント投写型プロジェクタにも、投写画像を観察する側とは反対の側から投写するリア投写型プロジェクタにも適用できることはいうまでもない。
【図面の簡単な説明】
【００６８】
【図１】実施形態１に係るプロジェクタを説明するために示す図。
【図２】実施形態１に係るプロジェクタにおける各ダイクロイックミラー及び各ダイクロイックフィルタの透過率特性を示す図。
【図３】実施形態２に係るプロジェクタを説明するために示す図。
【図４】実施形態２に係るプロジェクタにおける各ダイクロイックミラーの透過率特性を示す図。
【図５】実施形態３に係るプロジェクタにおける各ダイクロイックフィルタの透過率特性を示す図。
【図６】実施形態３に係るプロジェクタの要部を示す図。
【図７】実施形態３に係るプロジェクタにおける各ダイクロイックミラー、各ダイクロイックフィルタ及びシネマフィルタの透過率特性を示す図。
【図８】従来のプロジェクタを説明するために示す図。
【符号の説明】
【００６９】
１００…照明装置、１１０…光源装置、１１２…発光管、１１４…楕円面リフレクタ、１１６…補助ミラー、１１８…平行化レンズ、１２０…第１レンズアレイ、１３０…第２レンズアレイ、１４０…偏光変換素子、１５０…重畳レンズ、２００，２０２…色分離光学系、２１０，２１２…第１のダイクロイックミラー、２２０，２２２…第２のダイクロイックミラー、３００，３０２…リレー光学系、４００Ｒ，４００Ｇ，４００Ｂ…液晶装置、５００…クロスダイクロイックプリズム、６００…投写光学系、７１０Ｒ…赤色透過ダイクロイックフィルタ、７１０Ｇ…緑色透過ダイクロイックフィルタ、７１０Ｂ…青色透過ダイクロイックフィルタ、９００，１０００，１００２，１００４…プロジェクタ、ＳＣＲ…スクリーン
【図１】
2005300900.tif 000003
【図２】
2005300900.tif 000004
【図３】
2005300900.tif 000005
【図４】
2005300900.tif 000006
【図５】
2005300900.tif 000007
【図６】
2005300900.tif 000008
【図８】
2005300900.tif 000009
【図７】
2005300900.tif 000010